(57)【要約】
【課題】コネクタが湾曲や変形に抵抗し得る充分な強度を提供し、同時に配線の嵌設作業が容易且つ配線が安定して絶縁本体内に固定されるフレキシブルサーキットボードのコネクタにおける枢設構造を提供する。
【解決手段】絶縁本体５０と可動な蓋６０とより構成されるフレキシブルサーキットボードのコネクタ４０において、該絶縁本体５０左右両側の側壁上には摺動導引５５を設け、該摺動導引５５の先端には軸５６を突設し、該可動蓋６０の左右両側に設けた翼板６２の板面上には溝６６を形成する上板補助部６３と下板補助部６５，並びに円弧形を呈して閉塞された軸溝６７を設け、該上板補助部６３の先端には楔形を呈した欠け口６４を設けることで、該絶縁本体５０の摺動導引板５５は該溝６６内に収容され、該軸５６は該軸溝６７内に収容されるようにし、枢設構造を強化して配線の電気的接続性を安定させる。
【選択図】　　図８
0003099112.tif 000002
【実用新案登録請求の範囲】
【請求項１】
　主に、絶縁本体と可動蓋とが相互に枢設されてなるフレキシブルサーキットボードのコネクタにおける枢設構造において、
　左右両側壁上には摺動導引板が突設されており、該摺動導引板の先端には軸が突設されている前記絶縁本体と、
　左右両側の翼板板面上には溝を形成する上板補助部と下板補助部、及び円弧状を呈して閉塞された軸溝が形成されている前記可動蓋とより構成され、
　前記絶縁本体の摺動導引板は前記可動蓋の翼板板面の前記溝内に収容され、該摺動導引板先端に設けられた前記軸は前記可動蓋の翼板板面に設けられた該軸溝に収容されることを特徴とするフレキシブルサーキットボードのコネクタにおける枢設構造。
【請求項２】
　前記可動蓋の翼板板面の上板補助部先端は、楔形を呈した枢設構造となっていることを特徴とする請求項１記載のフレキシブルサーキットボードのコネクタにおける枢設構造。
【請求項３】
　前記可動蓋の翼板板面の軸溝の溝口の幅は、該翼板板面の溝よりも広いことを特徴とする請求項１或いは２記載のフレキシブルサーキットボードのコネクタにおける枢設構造。
【考案の詳細な説明】
【技術分野】
【０００１】
　本考案は、電子回路におけるフレキシブルサーキットボードのコネクタにおける枢設構造に関するものである。
【背景技術】
【０００２】
　従来公知におけるフレキシブルサーキットボードのコネクタ１０における枢設構造においては、図１、２の第１の公知例、図３、４の第２の公知例、図５、６の第３の公知例として示すように、縦長の絶縁本体２０，冂の字型を呈した可動蓋３０が相互に枢設されて成るものである(例えば、特許文献１：図１５)。
　該絶縁本体２０の内部には嵌設溝２１，並びに該嵌設溝２１と相通する数本の筋２２が設けられており、数本の端子２３はそれぞれ該筋２２中に嵌設されている。よって配線が該絶縁本体２０の嵌設溝２１内に嵌設されると、該端子２３は電気的に接続されることになる。該絶縁本体２０の両側壁上には摺動させて導引する摺動溝構造２４を具有し、これは該可動蓋３０の両側の翼板３２を枢設する他、該可動蓋３０が該絶縁本体２０に対して直線を描いて移動するのと局部の角度を回転させる個所を提供している。
　該可動蓋３０の両側の翼板３２上に設けられた軸３３或いは突起３４は、該絶縁本体２０両側の摺動溝２４内に枢設されており、該可動蓋３０は引っ張られて該絶縁本体２０と一定の距離をあけて固定されると、回転して傾斜角度の付いた状態となる。更に該可動蓋３０には片導引板３１が設けられており、これは両該翼片３２間の空間に設けられており、該可動蓋３０が引っ張られて該絶縁本体２０と引き離される、回転を経て傾斜角度が付くと、該導引板３１は該絶縁本体２０の嵌設溝２１内部より離れ、該嵌設溝２１の開口部は完全に露出された状態となり、配線の嵌設作業が容易になる。配線が該絶縁本体２０の嵌設溝２１内に嵌設されると、即ち電気的に接続する作業が終了し、次に該可動蓋３０と絶縁本体２０を合わせて定位し、該導引板３１を利用して該絶縁本体２０の嵌設溝２１内部に進入させ、配線が該絶縁本体２０の嵌設溝２１内にて固定される。
　しかし、上述のような公知構造におけるフレキシブルサーキットボードのコネクタにおいて、絶縁本体と可動蓋の間の枢設構造は、絶縁本体両側に形成された摺動溝及び該翼板の形成する軸や突起によって提供されており、また冂字型を呈した該可動蓋は左右両側の翼板が長い板状を呈しており、且つ該軸などの突起した構造によって該絶縁本体と枢設の関係が構成されるのであり、よって、該可動蓋左右両側の面は厚すぎてはならないことになるが、しかしそれでは変形や湾曲に抵抗する強度が不足してしまい、結果として該絶縁本体の嵌設溝内に配線が安定して固定されず接触不良が起こりやすくなってしまうといった問題点があった。
【特許文献１】特開平５−２９０５４号公報
【考案の開示】
【考案が解決しようとする課題】
【０００３】
　上述の欠点に鑑み、本考案の解決しようとする課題は、コネクタが湾曲や変形に抵抗し得る充分な強度を提供し、同時に配線の嵌設作業が容易且つ配線が安定して絶縁本体内に固定される本考案のフレキシブルサーキットボードのコネクタにおける枢設構造を提供することである。
【課題を解決するための手段】
【０００４】
　前記課題を解決するために、請求項１の考案は、主に、絶縁本体と可動蓋とが相互に枢設されてなるフレキシブルサーキットボードのコネクタにおける枢設構造において、左右両側壁上には摺動導引板が突設されており、該摺動導引板の先端には軸が突設されている前記絶縁本体と、左右両側の翼板板面上には溝を形成する上板補助部と下板補助部、及び円弧状を呈して閉塞された軸溝が形成されている前記可動蓋とより構成され、前記絶縁本体の摺動導引板は前記可動蓋の翼板板面の前記溝内に収容され、該摺動導引板先端に設けられた前記軸は前記可動蓋の翼板板面に設けられた該軸溝に収容されることを特徴とするフレキシブルサーキットボードのコネクタにおける枢設構造である。
　請求項２の考案は、前記可動蓋の翼板板面の上板補助部先端は、楔形を呈した枢設構造となっていることを特徴とする請求項１記載のフレキシブルサーキットボードのコネクタにおける枢設構造である。
　請求項３の考案は、前記可動蓋の翼板板面の軸溝の溝口の幅は、該翼板板面の溝よりも広いことを特徴とする請求項１或いは２記載のフレキシブルサーキットボードのコネクタにおける枢設構造である。
　すなわち、上記各考案は、主に絶縁本体と、可動な蓋とより構成されるフレキシブルサーキットボードのコネクタにおいて、該絶縁本体の左右両側の側壁上には摺動導引板を設け、該摺動導引板の先端には軸を突設し、該可動蓋の左右両側に設けた翼板の板面上には溝を形成する上板補助部と下板補助部，並びに円弧形を呈して閉塞された軸溝を設け、該上板補助部の先端には楔形を呈した欠け口を設けることで、該絶縁本体の摺動導引板は該可動蓋の翼板板面の該溝内に収容され、該摺動導引板先端の該軸は該可動蓋の翼板板面に設けられた該軸溝内に収容されるようにし、枢設構造を強化して配線の電気的接続性を安定させることを最も主要な特徴とする。
【考案の効果】
【０００５】
　本考案のフレキシブルサーキットボードのコネクタは、フレキシブルサーキットボードのコネクタの可動な蓋における変形や湾曲に抵抗する強度が高められたこと、並びに該可動蓋と絶縁本体との枢設個所が不意に外れることが防止されたことにより、組み立てが容易で電気的接続性に優れたフレキシブルサーキットボードのコネクタの枢設構造となるという利点がある。
【考案を実施するための最良の形態】
【０００６】
　電子回路において、フレキシブルサーキットボードのコネクタは、絶縁本体と可動蓋との間に枢設構造を設け、フレキシブルサーキットボードの連結構造を強化し、絶縁本体と可動蓋とが使用時に外れにくくすることで、配線の接続を安定させ、優れた電気的接続性を実現した。
【実施例】
【０００７】
　本考案の実施例は、図７，８に示すように、フレキシブルサーキットボードのコネクタ４０には主に縦長の絶縁本体５０と冂の字型を呈した可動蓋６０とが相互に枢設されて構成されている。
　この絶縁本体５０の内部構造は、上述した公知のそれと同様であり、嵌設溝５１及び数本の筋５２が設けられている。更に図９に示すように、該絶縁本体５０の両側には側壁５４が設けられており、ある程度厚さを具有した略直方体の形状を呈した摺動導引板５５が突設されている。該摺動導引板５５の上下各端は相互に平行を呈しており、該可動蓋６０を導引し、且つ直線に摺動させる役割を果たす。また該摺動導引板５５の先端個所には軸５６が突設されていることで、該可動蓋６０が該絶縁本体５０に対して回転して移動する軸心を提供している。
　以上の構成により、該摺動導引板５５は該可動蓋６０を直線を描いて移動させるのと、該可動蓋６０を回転させて傾斜させた状態にするのと二つの機能を具有するが、他にも該摺動導引板５５は該絶縁本体５０の側壁５４上にて突設されていることより、該絶縁本体５０の構造を強化する役割をも果たしていることになる。
【０００８】
　また、図８，１０，１２に示すように、該可動蓋６０において、大体の構造は上述した公知のものと同様で、冂の字型を呈しており、導引板６１及び左右両側の翼板６２を具有するが、本考案では該可動蓋６０の左右翼板６２の撓みや変形に対する強度を高めるべく、各該翼板６２の内側面上方には上板補助部６３を、下方には下板補助部６５を設ける。
　この上板補助部６３の前縁は楔形を呈した欠け口６４構造を設け、該上板補助部６３と下板補助部６５を補強して該翼板６２の撓みや変形に対する強度を高める。更に該上板補助部６３と下板補助部６５中間の空間には溝６６を設けるが、その設置位置と幅においては該絶縁本体５０の側壁５４上に突設された摺動導引板５５に対応したものとする。該可動蓋６０と絶縁本体５０とを組み合わせて本考案が完成すると、図１３，１４に示すように、該絶縁本体５０より突設されている該摺動導引板５５は、該溝６６の空間内に収容されており、よって該摺動導引板５５と該可動蓋６０の翼板６２上の上板補助部６３と下板補助部６５は摺動構造を構成しており、該可動蓋６０は該絶縁本体５０に対して直線で前後に摺動する（図１３，１５参照）。
【０００９】
　そして、図８，１２，１９に示すように、該可動板６０は該翼板６２の内側面上にて軸溝６７が形成されており、該軸溝６７の先端は円弧状を呈して閉塞されている。該軸溝６７の上壁と下壁の略中間位置においては、上述の該溝６６と重なっている、或いは該溝６６の空間範囲内に位置するものとするが、該絶縁本体５０の摺動導引板５５先端個所に突設された軸５６と相互に呼応するものとする。該可動蓋６０と該絶縁本体５０とが組み立てられた後、該絶縁本体５０に突設されている略直方体を呈した摺動導引板５５と該摺動導引板５５先端の軸５６が、それぞれが射可動蓋６０の翼板６２に開設された溝６６及び軸溝６７の空間に収容され、同時に図１３に示すように、該軸溝６７の円弧形を呈した閉塞個所で該可動蓋６０が引っ張られる最大の摺動距離を制限している。
　つまり、図１３，１６，１７に示すように、該可動蓋６０が引っ張られて軸溝６７の円弧閉塞個所に至って該絶縁本体５０の軸５６に当たるとき直線移動ができなくなる。このとき該可動蓋６０の導引板６１の位置は、該絶縁本体５０の嵌設溝５１内部から既に離れており、該翼板６２に突設されている上板補助部６３先端は楔形を呈した欠け口６４となっていることから、該可動蓋６０は該絶縁本体５０の軸５６を軸心として上方に向かって回転するようになり、該絶縁本体５０の嵌設溝５１開口部が該可動蓋６０によって遮られることがないようになっている。
　また、図１８に示すように、本考案の実施例の該可動蓋６０は回転して上方に向かって移動するが、そのときの最大角度は該可動蓋６０の翼板６２の上板補助部６３先端の欠け口６４の傾斜角度によって決定されるのであり、つまり該可動蓋６０の欠け口６４端が該絶縁本体５０の軸５６上端に接触したときが、該可動蓋６０が最も傾斜角度の大きいとき、ということになる。
【００１０】
　本考案の実施例の使用法においては、該可動蓋６０を限界まで引き出し、更に該蓋６０を最大角度にまで回転させ、該絶縁本体５０の嵌設溝５１開口部を完全に露出させる。次に軟性の配線７０を直接該絶縁本体５０の嵌設溝５１内に挿し込み、該嵌設溝５１内部に設けられた端子５３と電気的に接続した後、今度は該可動蓋６０を該絶縁本体５０と合わせて固定し、該可動蓋６０の導引板６１を該絶縁本体５０の嵌設溝５１内部に進入させ、該配線７０を該絶縁本体６０の嵌設溝５１内に固定することで、該配線７０の接続作業が完了する。
【図面の簡単な説明】
【００１１】
【図１】従来公知における第１公知例のフレキシブルサーキットボードの構造説明図である。
【図２】従来公知における第１公知例のフレキシブルサーキットボードを分解した構造説明図である。
【図３】従来公知における第２公知例のフレキシブルサーキットボードの構造説明図である。
【図４】従来公知における第２公知例のフレキシブルサーキットボードを分解した構造説明図である。
【図５】従来公知における第３公知例のフレキシブルサーキットボードの構造説明図である。
【図６】従来公知における第３公知例のフレキシブルサーキットボードを分解した第二構造説明図である。
【図７】本考案の実施例のフレキシブルサーキットボードにおけるコネクタの外観斜視図である。
【図８】本考案の実施例のフレキシブルサーキットボードにおけるコネクタを分解した斜視図である。
【図９】図８における絶縁本体５０の局部拡大斜視図であり、該絶縁本体５０側壁上には摺動導引板５５が突設されている様子を示す図である。
【図１０】図８に示す可動蓋６０の翼板６２内側拡大斜視図であり、該翼板６２の形状を示す図である。
【図１１】図８に示す可動蓋６０のａ−ａ位置による断面拡大図である。
【図１２】図８に示す可動蓋６０のｂ−ｂ位置による断面拡大図である。
【図１３】本考案の実施例のフレキシブルサーキットボードのコネクタにおいて、可動蓋６０が前後に直線移動する様子、並びに該絶縁本体５０と可動蓋６０との間の枢設構造を示す説明図である。
【図１４】本考案の実施例のフレキシブルサーキットボードのコネクタにおいて、可動蓋６０と絶縁本体５０とが閉じられて定位された際における、該絶縁本体５０と該可動蓋６０との間の枢設構造の相対位置関係を示す説明図である。
【図１５】本考案の実施例のフレキシブルサーキットボードのコネクタにおいて、該可動蓋６０が引っ張られて該絶縁本体５０と分かれたとき、該絶縁本体５０と該可動蓋６０との間の枢設構造の相対位置関係を示す説明図である。
【図１６】本考案の実施例のフレキシブルサーキットボードのコネクタにおいて、該可動蓋６０が引き出された後、上方向に回転された状態を示す説明図である。
【図１７】本考案の実施例のフレキシブルサーキットボードのコネクタにおいて、該可動蓋６０が引き出された後、上方に回転される際に該軸５６が軸心となって回転動作をする様子を示す説明図である。
【図１８】本考案の実施例のフレキシブルサーキットボードのコネクタにおいて、該可動蓋６０の翼板６２の上板補助部６３の前縁の楔形を呈した欠け口６４の構造が、該可動蓋６０が上方に回転させられた際に固定され、最大傾斜角度を呈した状態を示す説明図である。
【図１９】本考案の実施例のフレキシブルサーキットボードのコネクタと配線７０とが電気的に接続された様子を示す説明図である。
【符号の説明】
【００１２】
１０　公知におけるフレキシブルサーキットボードのコネクタ
２０　絶縁本体
２１　嵌設溝
２２　筋
２３　端子
２４　摺動溝構造
３０　可動蓋
３１　導引板
３２　翼板
３３　軸
３４　突起
４０　フレキシブルサーキットボードのコネクタ
５０　絶縁本体
５１　嵌設溝
５２　筋
５３　端子
５４　側壁
５５　摺動導引板
５６　軸
６０　可動蓋
６１　導引板
６２　翼板
６３　上板補助部
６４　欠け口
６５　下板補助部
６６　溝
６７　軸溝
７０　軟性の配線
【図１】
0003099112.tif 000003
【図２】
0003099112.tif 000004
【図３】
0003099112.tif 000005
【図４】
0003099112.tif 000006
【図５】
0003099112.tif 000007
【図６】
0003099112.tif 000008
【図７】
0003099112.tif 000009
【図８】
0003099112.tif 000010
【図９】
0003099112.tif 000011
【図１０】
0003099112.tif 000012
【図１１】
0003099112.tif 000013
【図１２】
0003099112.tif 000014
【図１３】
0003099112.tif 000015
【図１４】
0003099112.tif 000016
【図１５】
0003099112.tif 000017
【図１６】
0003099112.tif 000018
【図１７】
0003099112.tif 000019
【図１８】
0003099112.tif 000020
【図１９】
0003099112.tif 000021